(57)【要約】【課題】磁気ディスクが衝突しても、この衝突による衝撃を簡単な構造で吸収することができ、ロード／アンロード機構としての機能を充分に発揮することが可能な磁気ディスク装置用ランプを提供する。【解決手段】ランプ４は、磁気ヘッドを待避させるランプ本体１１と、ランプ本体１１を磁気ディスク装置に取り付ける取付部１２とによって構成され、ランプ本体１１は、磁気ディスク３と向き合う先端部１３において、磁気ディスク３の記録面と対向する２つの対向面１４と、この対向面１４を結ぶ端面１５とによって作られる凹部１６を有する。先端部１３には傾斜面１８が形成され、この傾斜面１８上を磁気ヘッドが摺動して乗り上げて待避する。対向面１４には端面１５の近傍に、２つの垂直壁面２１、２２を挿通するように切欠部２０が設けられている。【選択図】図２
2008262631.tif 000002
【特許請求の範囲】
【請求項１】
ドライブの停止時や非リード／ライト動作時に、磁気ヘッドを磁気ディスクの外側に待避させるために用いられる磁気ディスク装置用ランプにおいて、磁気ヘッドを待避させる機能を有するランプ本体と、前記ランプ本体を磁気ディスク装置に取り付けるための取付部とによって構成され、前記ランプ本体は磁気ディスクと向き合う先端部において、磁気ディスクの記録面と対向する対向面を有し、前記対向面上であって対向面に連なる端面寄りの領域に切欠部が設けられて弾性変形領域が形成されていることを特徴とする磁気ディスク装置用ランプ。
【請求項２】
前記切欠部は、前記ランプ本体の取付部寄りの第一の垂直壁面と、この第一の垂直壁面とは反対側に位置する第二の垂直壁面とを挿通して設けられていることを特徴とする請求項１記載の磁気ディスク装置用ランプ。
【請求項３】
前記対向面には、磁気ディスクの外周面と対面する部分が平坦面となるように切欠部が設けられていることを特徴とする請求項１または２記載の磁気ディスク装置用ランプ。
【請求項４】
前記切欠部が設けられたランプ本体が多段に配置された請求項１から３のいずれかに記載の磁気ディスク装置用ランプ。
【発明の詳細な説明】
【技術分野】
【０００１】
本発明は、ハードディスクドライブなどの磁気ディスク装置において、ドライブの停止時や非リード／ライト動作時に、磁気ヘッドを磁気ディスクの外側に待避させるロード／アンロード機構に用いられる磁気ディスク装置用ランプに関する。
【背景技術】
【０００２】
ハードディスクドライブなどの磁気ディスク装置においては、ドライブの停止時や非リード／ライト動作時に、磁気ヘッドを磁気ディスクの外側に待避させるロード／アンロード機構が備えられている。磁気ヘッドの待避は、磁気ディスクの外周側に配置されたランプに磁気ヘッドが乗り上げることによって行われる。このランプは通常、磁気ヘッドを摺動させて保持する傾斜面と、磁気ディスクの外周部が回転して通過するためのスペースを確保するために設けられる、磁気ディスクの記録面と対向する対向面とを備えている。
【０００３】
ランプは、成形性の容易さと摩擦特性に優れている点から、近年では樹脂によって形成されているものが多くなっている。また、磁気ディスクとランプとの間での磁気ヘッドの移動をスムーズに行うために、磁気ディスクと向き合うランプの先端部の対向面の間隔は非常に狭くなっている。このような事情から、磁気ディスク装置に衝撃等が加えられて磁気ディスクとランプとが衝突することがあり、磁気ディスクとランプとが衝突すると、磁気ディスクとランプの双方に損傷や変形が生じたり、粉塵が発生したりすることがある。このような損傷や変形が生じあるいは、粉塵が発生したりすると、磁気ディスク装置の性能に悪影響を与える。
上述した磁気ディスクとランプとの衝突に起因する損傷や変形を防止することを目的とした技術の一例が特許文献１に記載されている。
【０００４】
【特許文献１】特開２００２−３６７３１４号公報
【発明の開示】
【発明が解決しようとする課題】
【０００５】
特許文献１に記載されたものは、衝撃が加えられた際に磁気ディスクが振れて、ランプの先端部と衝突しても、磁気ディスクによって押圧された方向へ傾斜面を有する部材が逃げることによって、磁気ディスクやランプ機構に大きな負荷がかかることを防止するものである。しかし、特許文献１に記載の構造は、磁気ディスクによって押圧された方向へ傾斜面を有する部材が逃げることを実現するための構造が複雑であり、もともと微細なものであるランプにおいてこのような構造を持たせると、磁気ディスクが衝突した衝撃でこの構造自体が破損して機能しなくなる可能性がある。
【０００６】
本発明は、このような事情を考慮してなされたもので、磁気ディスクが衝突しても、この衝突による衝撃を簡単な構造で吸収することができ、ロード／アンロード機構としての機能を充分に発揮することが可能な磁気ディスク装置用ランプを提供することを目的とする。
【課題を解決するための手段】
【０００７】
以上の課題を解決するために、本発明の磁気ディスク装置用ランプは、ドライブの停止時や非リード／ライト動作時に、磁気ヘッドを磁気ディスクの外側に待避させるために用いられる磁気ディスク装置用ランプにおいて、磁気ヘッドを待避させる機能を有するランプ本体と、前記ランプ本体を磁気ディスク装置に取り付けるための取付部とによって構成され、前記ランプ本体は磁気ディスクと向き合う先端部において、磁気ディスクの記録面と対向する対向面を有し、前記対向面上であって対向面に連なる端面寄りの領域に切欠部が設けられて弾性変形領域が形成されていることを特徴とする。
【０００８】
磁気ディスクの外周部は、磁気ディスクの記録面と対向する対向面に近接して回転しており、磁気ディスク装置に衝撃が加えられて磁気ディスクとランプとが衝突すると、磁気ディスクが対向面に接触して対向面を押圧し、これによる負荷によって磁気ディスクとランプに損傷や変形が生じたり、粉塵が発生したりすることがあるが、本発明においては、対向面上であって対向面に連なる端面寄りの領域に切欠部が設けられているため、対向面が押圧されたときにランプ本体の先端部が撓むようになって先端部が弾性変形領域として機能し、押圧による負荷を吸収することができるため、ランプの損傷や変形を防止できる。また、磁気ディスクが受ける衝撃も弱まるため、磁気ディスクの破損を防止できる。また、ランプ本体と磁気ディスクの衝突時の粉塵の発生を防止できる。
対向面が押圧されたときの負荷の吸収は、特許文献１においてもなされているが、特許文献１においては、負荷の吸収を実現するためにいくつかの部材が必要であるのに対して、本発明は、対向面に切欠部を設けることによる先端部の撓みを利用して負荷の吸収を実現するものであり、構造が簡単であり、故障を生じにくい。
【０００９】
また、ランプ本体の先端部は、磁気ヘッドを待避させる機能を有しているため、磁気ヘッドが摺動して保持される領域が必要であるが、磁気ヘッドが摺動して保持される領域に切欠部が存在すると、摺動の際に磁気ヘッドが切欠部に引掛かるようになり、磁気ヘッドがスムーズに移動できなくなり、待避機能に支障を生じることとなる。しかし、本発明においては、切欠部は磁気ディスクの記録面と対向する対向面に設けられているため、磁気ヘッドが摺動して保持されるために必要な領域は確保されており、切欠部を設けたことによる支障は生じない。
【００１０】
本発明の磁気ディスク装置用ランプにおいては、切欠部は、ランプ本体の取付部寄りの第一の垂直壁面と、この第一の垂直壁面とは反対側に位置する第二の垂直壁面とを挿通して設けることができる。
【００１１】
切欠部をこのように設けることにより、ランプ本体の先端部全体を弾性変形領域として有効に機能させることができ、磁気ディスクの衝突による負荷の吸収には有効である。
【００１２】
本発明の磁気ディスク装置用ランプにおいては、対向面には、磁気ディスクの外周面と対面する部分が平坦面となるように切欠部が設けられていることを特徴とする。
切欠部をこのように設けることにより、磁気ディスク装置に衝撃が加えられて磁気ディスクとランプとが衝突したときに、対向面の平坦面で荷重を受けることになる。磁気ディスクが衝突する位置に切欠部が存在すると、その位置での先端部の肉厚が薄くなって先端部自体の強度が弱くなるが、本発明においては、対向面の平坦面で磁気ディスクが衝突するため、先端部の強度を確保しつつ、弾性変形領域を撓ませることによって、衝突による負荷を効果的に吸収することができる。
【００１３】
本発明の磁気ディスク装置用ランプは、上記の切欠部が設けられたランプ本体が多段に配置されていることを特徴とする。
これにより、裏表両面に記録面を備えた磁気ディスクが装着される構造の磁気ディスク装置、及び、複数の磁気ディスクが装着される構造の磁気ディスク装置においても、ランプ本体のそれぞれに切欠部が設けられているために、一つのランプ本体が負荷を受けたときにそれぞれが独立して撓むことができ、他のランプ本体に影響を与えないので、ランプと磁気ディスクの破損を有効に防止することができる。
【発明の効果】
【００１４】
本発明によると、磁気ディスクが衝突しても、この衝突による衝撃を簡単な構造で吸収することができ、ロード／アンロード機構としての機能を充分に発揮することが可能な磁気ディスク装置用ランプを実現することができる。
【発明を実施するための最良の形態】
【００１５】
以下に、本発明の磁気ディスク装置用ランプを、その実施形態に基づいて説明する。なお、以下の説明においては、磁気ヘッドが磁気ディスクの両面側に配置され、磁気ヘッドの待避時に磁気ヘッドが摺動する領域を磁気ディスクの両面側にそれぞれ設けて、合計２つの摺動領域を有するランプに基づいて行うが、磁気ヘッドが磁気ディスクの片側のみに配置され、磁気ヘッドの摺動領域を磁気ディスクの片側のみに設ける場合にも同様に適用される。
【００１６】
図１に、本発明の磁気ディスク装置用ランプが取り付けられた磁気ディスク装置の概観を示す。
図１に示す磁気ディスク装置１においては、ハウジング２内に磁気ディスク３が装着され、図示しないアクチュエータの先端に設けられた磁気ヘッドによって磁気ディスク３への情報の書き込みや読み込みがなされる。ドライブの停止時や非リード／ライト動作時には、磁気ヘッドを磁気ディスク３の外側に待避させるが、この待避は、磁気ディスク３の外周側に設けられたランプ４に磁気ヘッドを摺動させて保持することによって行われる。
【００１７】
図２に、ランプ４の構造を示す。また図３に、図２における矢印方向から見た平面図を示し、図４に、図３におけるＡ矢視図を示し、図５に、図４におけるＢ−Ｂ断面図を示す。
【００１８】
ランプ４は図２に示すように、磁気ヘッドを待避させる機能を有するランプ本体１１と、ランプ本体１１を磁気ディスク装置１に取り付けるための取付部１２とによって構成されている。ランプ本体１１と取付部１２とは、樹脂成形によって一体となるように形成することができる。取付部１２には、取付穴１２ａが設けられている。
【００１９】
ランプ本体１１は、磁気ディスク３と向き合う先端部１３において、磁気ディスク３の記録面と略平行になるように形成されて、磁気ディスク３と対向する２つの対向面１４と、この２つの対向面１４を結ぶ端面１５とによって作られる凹部１６を有しており、この凹部１６内を磁気ディスク３の外周部が回転して通過する。対向面１４と反対側の面に相当する上面１７側には傾斜面１８が形成され、この傾斜面１８上を磁気ヘッドが摺動して乗り上げることにより、磁気ヘッドが保持されて待避する。磁気ヘッドが磁気ディスクの両面側に配置される場合には、先端部１３の下面１９側にも傾斜面１８が形成され、この面に磁気ヘッドが摺動して待避する。
【００２０】
このように、ランプ本体１１の先端部１３は少なくとも、磁気ディスク３と対向する対向面１４と、対向面１４に連なる端面１５と、対向面１４の反対側に位置して磁気ヘッドが摺動する面とを有しており、磁気ヘッドが磁気ディスクの両面側に配置される図２の場合には、２つの対向面１４と、この２つの対向面１４を結ぶ端面１５とによって作られる凹部１６と、磁気ヘッドが摺動する面である傾斜面１８を２つ有している。磁気ヘッドが磁気ディスクの片側のみに配置される場合には、ランプ本体１１の先端部１３は、１つの対向面１４と、対向面１４に連なる端面１５と、対向面１４の反対側に位置して磁気ヘッドが摺動する面である傾斜面１８を１つ有している。
【００２１】
ランプ本体１１の対向面１４には端面１５の近傍に切欠部２０が設けられている。この切欠部２０は、上面１７と下面１９とを結ぶ面であって、取付部１２寄りの垂直壁面２１と、この垂直壁面２１とは反対側に位置する垂直壁面２２とを挿通して設けられている。切欠部２０は、先端部１３の厚み方向に切欠いたものであればよく、その形状は図示した形状のものに限定されない。また、切欠部２０の深さ（図４のＹ方向）と幅（図３のＸ方向）は、ランプ本体１１の大きさ、材質等によって適宜選択される。また、切欠部２０は、２つの垂直壁面２１、２２を挿通するものに限定されず、対向面１４上であって端面１５の近傍であれば、任意の位置に任意の長さで設けることができる。
【００２２】
ランプ本体１１の先端部１３における２つの対向面１４の間隔は非常に狭くなっているため、磁気ディスク装置１に衝撃が加えられて磁気ディスク３とランプ４とが衝突すると、磁気ディスク３が対向面１４に接触することによって対向面１４が押圧され、対向面１４が押圧された方向に負荷がかかって磁気ディスクとランプに損傷や変形が生じたり、粉塵が発生したりすることがあるが、本発明においては、先端部１３の付け根にあたる部分の対向面１４に切欠部２０が設けられており、この切欠部２０の存在によって先端部１３が弾性変形領域として機能する。そのため、対向面１４が押圧されても先端部１３が撓むようになり、負荷を吸収することができるため、ランプの損傷や変形を防止できる。また、磁気ディスク３が受ける衝撃も弱まるため、磁気ディスク３の破損を防止できる。また、粉塵の発生を防止できる。
【００２３】
また、ランプ本体１１の先端部１３は、磁気ヘッドを待避させる際に、磁気ヘッドが摺動して保持される領域である上面１７と下面１９とが平坦面として確保されることが必要であるが、本発明においてはこのことを考慮して、上述した切欠部２０を対向面１４上に設けている。そのため、磁気ヘッドの待避には支障を生じない。
【００２４】
切欠部２０は、上述したように、ランプ本体１１の対向面１４上であって端面１５の近傍において、取付部１２寄りの垂直壁面２１と、この垂直壁面２１とは反対側に位置する垂直壁面２２とを挿通して設けられているが、切欠部２０をこのように設けたことによる、磁気ディスク３の衝突位置と切欠部２０との位置関係について、図５に基づいて説明する。
磁気ディスク３がランプ本体１１の先端部１３と衝突する際の衝突位置（磁気ディスク３の外周端３ａの位置）と切欠部２０との間の距離は、取付部１２寄りの垂直壁面２１側では広く（Ｌ２）、これとは反対側に位置する垂直壁面２２側では狭い（Ｌ１）が、いずれの場合も、磁気ディスク３の外周端３ａが切欠部２０に衝突することはない。
【００２５】
切欠部２０が設けられた位置は、図４に示す端面１５の近傍であって、凹部１６の深部にあたるため、対向面１４においては、磁気ディスクと対面する部分Ｃは切欠部２０の無い平坦面となる。そのため、磁気ディスク装置１に衝撃が加えられて磁気ディスク３とランプ４とが衝突したときに、対向面１４の平坦面で衝突による負荷を受けることになるため、先端部１３の強度を確保しつつ、弾性変形領域を撓ませることによって、衝突による負荷を効果的に吸収することができる。
【００２６】
図６は、磁気ディスクが２枚装着される磁気ディスク装置のランプ４の構造を示したものであり、上述した切欠部２０を有するランプを上下に２段重ねた構造となっている。磁気ディスクが３枚以上装着される磁気ディスク装置の場合には、同じ構造のランプを３段以上多段に重ねることによって、上記の機能を有するランプを実現することができる。
【産業上の利用可能性】
【００２７】
本発明は、磁気ディスクが衝突しても、この衝突による衝撃を簡単な構造で吸収することができ、ロード／アンロード機構としての機能を充分に発揮することが可能な磁気ディスク装置用ランプとして利用することができる。
【図面の簡単な説明】
【００２８】
【図１】本発明の磁気ディスク装置用ランプが取り付けられた磁気ディスク装置の概観を示す図である。
【図２】ランプの構造を示す図である。
【図３】図２における矢印方向から見た平面図である。
【図４】図３におけるＡ矢視図である。
【図５】図４におけるＢ−Ｂ断面図である。
【図６】磁気ディスクが２枚装着される磁気ディスク装置のランプの構造を示す図である。
【符号の説明】
【００２９】
１  磁気ディスク装置
２  ハウジング
３  磁気ディスク
３ａ  外周端
４  ランプ
１１  ランプ本体
１２  取付部
１２ａ  取付穴
１３  先端部
１４  対向面
１５  端面
１６  凹部
１７  上面
１８  傾斜面
１９  下面
２０  切欠部
２１  垂直壁面
２２  垂直壁面
【図１】
2008262631.tif 000003
【図２】
2008262631.tif 000004
【図３】
2008262631.tif 000005
【図４】
2008262631.tif 000006
【図５】
2008262631.tif 000007
【図６】
2008262631.tif 000008